(57)【特許請求の範囲】
【請求項１】
記録媒体に印刷を実行する印刷デバイスと、
前記印刷デバイスによって印刷が実行された前記記録媒体としての印刷物が排出される印刷物排出部と、
前記印刷物排出部に前記印刷物が存在するか否かを検出する印刷物センサーと、
前記印刷デバイスによる印刷を含む印刷ジョブを実行する印刷ジョブ実行手段と、
前記印刷ジョブの実行者を認証する実行者認証手段と、
新たな前記印刷ジョブとしての新ジョブにおける前記印刷物の排出予定の前記印刷物排出部としての予定排出部に存在する前記印刷物を排出した前記印刷ジョブとしての特定先行ジョブに対して前記実行者認証手段によって認証された実行者としての特定先行ジョブ実行者を通知する特定先行ジョブ実行者通知手段と、
前記実行者認証手段によって認証された前記新ジョブの実行者としての新ジョブ実行者を通知する新ジョブ実行者通知手段とを備え、
前記印刷ジョブ実行手段は、前記予定排出部に前記印刷物が存在すると前記印刷物センサーによって検出された場合に、前記新ジョブ実行者と、前記特定先行ジョブ実行者とが異なるとき、前記新ジョブの実行を停止し、
前記特定先行ジョブ実行者通知手段は、前記予定排出部に前記印刷物が存在すると前記印刷物センサーによって検出された場合に、前記新ジョブ実行者と、前記特定先行ジョブ実行者とが異なるとき、前記特定先行ジョブ実行者を前記新ジョブ実行者に通知し、
前記新ジョブ実行者通知手段は、前記予定排出部に前記印刷物が存在すると前記印刷物センサーによって検出された後、前記予定排出部に前記印刷物が存在しないと前記印刷物センサーによって検出された場合に、前記新ジョブ実行者を前記特定先行ジョブ実行者に通知し、
前記印刷ジョブ実行手段は、前記予定排出部に前記印刷物が存在すると前記印刷物センサーによって検出された後、前記予定排出部に前記印刷物が存在しないと前記印刷物センサーによって検出された場合に、前記新ジョブ実行者通知手段によって前記新ジョブ実行者が前記特定先行ジョブ実行者に通知された後、実行を停止していた前記新ジョブを実行することを特徴とする画像形成装置。
【請求項２】
複数の前記印刷物排出部を備え、
前記印刷ジョブ実行手段は、前記複数の印刷物排出部の全てに前記印刷物が存在すると前記印刷物センサーによって検出された場合に、前記印刷物排出部に存在する前記印刷物を排出した前記印刷ジョブに対して前記実行者認証手段によって認証された実行者としての先行ジョブ実行者の何れもが前記新ジョブ実行者と異なるとき、前記複数の印刷物排出部のうち前記先行ジョブ実行者の所在位置が前記新ジョブ実行者の所在位置に最も近い前記印刷物排出部を、前記印刷ジョブの実行者の所在位置を示す所在位置情報に基づいて前記予定排出部として選択することを特徴とする請求項１に記載の画像形成装置。
【請求項３】
複数の前記印刷物排出部を備え、
前記印刷ジョブ実行手段は、前記複数の印刷物排出部の全てに前記印刷物が存在すると前記印刷物センサーによって検出された場合に、前記印刷物排出部に存在する前記印刷物を排出した前記印刷ジョブに対して前記実行者認証手段によって認証された実行者としての先行ジョブ実行者の何れもが前記新ジョブ実行者と異なるとき、前記複数の印刷物排出部のうち、前記印刷物が存在すると前記印刷物センサーによって検出されている時間が最も長い前記印刷物排出部を、前記予定排出部として選択することを特徴とする請求項１に記載の画像形成装置。
【請求項４】
記録媒体に印刷を実行する印刷デバイスと、
前記印刷デバイスによって印刷が実行された前記記録媒体としての印刷物が排出される印刷物排出部と、
前記印刷物排出部に前記印刷物が存在するか否かを検出する印刷物センサーとを備える画像形成装置を、
前記印刷デバイスによる印刷を含む印刷ジョブを実行する印刷ジョブ実行手段、
前記印刷ジョブの実行者を認証する実行者認証手段、
新たな前記印刷ジョブとしての新ジョブにおける前記印刷物の排出予定の前記印刷物排出部としての予定排出部に存在する前記印刷物を排出した前記印刷ジョブとしての特定先行ジョブに対して前記実行者認証手段によって認証された実行者としての特定先行ジョブ実行者を通知する特定先行ジョブ実行者通知手段、および、
前記実行者認証手段によって認証された前記新ジョブの実行者としての新ジョブ実行者を通知する新ジョブ実行者通知手段として機能させ、
前記印刷ジョブ実行手段は、前記予定排出部に前記印刷物が存在すると前記印刷物センサーによって検出された場合に、前記新ジョブ実行者と、前記特定先行ジョブ実行者とが異なるとき、前記新ジョブの実行を停止し、
前記特定先行ジョブ実行者通知手段は、前記予定排出部に前記印刷物が存在すると前記印刷物センサーによって検出された場合に、前記新ジョブ実行者と、前記特定先行ジョブ実行者とが異なるとき、前記特定先行ジョブ実行者を前記新ジョブ実行者に通知し、
前記新ジョブ実行者通知手段は、前記予定排出部に前記印刷物が存在すると前記印刷物センサーによって検出された後、前記予定排出部に前記印刷物が存在しないと前記印刷物センサーによって検出された場合に、前記新ジョブ実行者を前記特定先行ジョブ実行者に通知し、
前記印刷ジョブ実行手段は、前記予定排出部に前記印刷物が存在すると前記印刷物センサーによって検出された後、前記予定排出部に前記印刷物が存在しないと前記印刷物センサーによって検出された場合に、前記新ジョブ実行者通知手段によって前記新ジョブ実行者が前記特定先行ジョブ実行者に通知された後、実行を停止していた前記新ジョブを実行することを特徴とする画像形成プログラム。
【発明の詳細な説明】
【技術分野】
【０００１】
本発明は、記録媒体に印刷を実行する画像形成装置および画像形成プログラムに関する。
【背景技術】
【０００２】
従来、記録媒体に印刷を実行する印刷デバイスと、印刷デバイスによって印刷が実行された記録媒体としての印刷物が排出される印刷物排出部と、印刷物排出部に印刷物が存在するか否かを検出する印刷物センサーと、印刷デバイスによる印刷を含む印刷ジョブを実行する印刷ジョブ実行手段と、印刷ジョブの実行者を認証する実行者認証手段とを備える画像形成装置が知られている（例えば、特許文献１，２参照。）。特許文献１，２に記載された画像形成装置の印刷ジョブ実行手段は、新たな印刷ジョブとしての新ジョブにおける印刷物の排出予定の印刷物排出部としての予定排出部に印刷物が存在すると印刷物センサーによって検出された場合に、予定排出部に存在する印刷物を排出した印刷ジョブに対して実行者認証手段によって認証された実行者としての特定先行ジョブ実行者と、実行者認証手段によって認証された新ジョブの実行者としての新ジョブ実行者とが異なるとき、新ジョブの実行を停止することによって、異なる実行者の印刷物が印刷物排出部で混在することを抑えることができる。特許文献１，２に記載された画像形成装置においては、予定排出部に印刷物が存在すると印刷物センサーによって検出された場合に、特定先行ジョブ実行者と、新ジョブ実行者とが異なるとき、予定排出部に存在する印刷物が取り除かれることによって、新ジョブが実行されることができる。
【先行技術文献】
【特許文献】
【０００３】
【特許文献１】特開２００１−１２２５０１号公報
【特許文献２】特開２００６−００１２４１号公報
【発明の概要】
【発明が解決しようとする課題】
【０００４】
しかしながら、従来の画像形成装置においては、予定排出部に存在する印刷物を新ジョブの実行のために新ジョブ実行者が取り除いた場合、予定排出部から取り除かれた印刷物を排出した印刷ジョブの実行者、すなわち、特定先行ジョブ実行者を新ジョブ実行者が認識していないので、予定排出部から取り除かれた印刷物を新ジョブ実行者が特定先行ジョブ実行者に届けることができず、予定排出部から取り除かれた印刷物が紛失する可能性があるという問題がある。
【０００５】
そこで、本発明は、印刷物の紛失の発生を抑えることができる画像形成装置および画像形成プログラムを提供することを目的とする。
【課題を解決するための手段】
【０００６】
本発明の画像形成装置は、記録媒体に印刷を実行する印刷デバイスと、前記印刷デバイスによって印刷が実行された前記記録媒体としての印刷物が排出される印刷物排出部と、前記印刷物排出部に前記印刷物が存在するか否かを検出する印刷物センサーと、前記印刷デバイスによる印刷を含む印刷ジョブを実行する印刷ジョブ実行手段と、前記印刷ジョブの実行者を認証する実行者認証手段と、新たな前記印刷ジョブとしての新ジョブにおける前記印刷物の排出予定の前記印刷物排出部としての予定排出部に存在する前記印刷物を排出した前記印刷ジョブとしての特定先行ジョブに対して前記実行者認証手段によって認証された実行者としての特定先行ジョブ実行者を通知する特定先行ジョブ実行者通知手段とを備え、前記印刷ジョブ実行手段は、前記予定排出部に前記印刷物が存在すると前記印刷物センサーによって検出された場合に、前記実行者認証手段によって認証された前記新ジョブの実行者としての新ジョブ実行者と、前記特定先行ジョブ実行者とが異なるとき、前記新ジョブの実行を停止し、前記特定先行ジョブ実行者通知手段は、前記予定排出部に前記印刷物が存在すると前記印刷物センサーによって検出された場合に、前記新ジョブ実行者と、前記特定先行ジョブ実行者とが異なるとき、前記特定先行ジョブ実行者を通知することを特徴とする。
【０００７】
この構成により、本発明の画像形成装置は、特定先行ジョブ実行者を通知するので、特定先行ジョブによって予定排出部に排出された印刷物を予定排出部から取り除いた者に特定先行ジョブ実行者を認識させることができる。したがって、本発明の画像形成装置は、予定排出部から取り除かれた印刷物が予定排出部から印刷物を取り除いた者から特定先行ジョブ実行者に渡る可能性を向上するので、予定排出部から取り除かれた印刷物の紛失の発生を抑えることができる。
【０００８】
また、本発明の画像形成装置は、前記予定排出部に前記印刷物が存在すると前記印刷物センサーによって検出された後、前記予定排出部に前記印刷物が存在しないと前記印刷物センサーによって検出された場合に、前記新ジョブ実行者を通知する新ジョブ実行者通知手段を備えても良い。
【０００９】
この構成により、本発明の画像形成装置は、予定排出部から印刷物が取り除かれた場合に新ジョブ実行者を通知するので、予定排出部から印刷物を取り除いた可能性が高い新ジョブ実行者を特定先行ジョブ実行者に認識させることができる。したがって、本発明の画像形成装置は、予定排出部から取り除かれた印刷物が新ジョブ実行者から特定先行ジョブ実行者に渡る可能性を向上するので、予定排出部から取り除かれた印刷物の紛失の発生を抑えることができる。
【００１０】
また、本発明の画像形成装置は、複数の前記印刷物排出部を備え、前記印刷ジョブ実行手段は、前記複数の印刷物排出部の全てに前記印刷物が存在すると前記印刷物センサーによって検出された場合に、前記印刷物排出部に存在する前記印刷物を排出した前記印刷ジョブに対して前記実行者認証手段によって認証された実行者としての先行ジョブ実行者の何れもが前記新ジョブ実行者と異なるとき、前記複数の印刷物排出部のうち前記先行ジョブ実行者の所在位置が前記新ジョブ実行者の所在位置に最も近い前記印刷物排出部を、前記印刷ジョブの実行者の所在位置を示す所在位置情報に基づいて前記予定排出部として選択しても良い。
【００１１】
この構成により、本発明の画像形成装置は、予定排出部から印刷物を取り除く可能性が高い新ジョブ実行者と所在位置が最も近い先行ジョブ実行者によって実行された印刷ジョブにおいて印刷物が排出された印刷物排出部を予定排出部として選択するので、予定排出部から取り除かれた印刷物が新ジョブ実行者から特定先行ジョブ実行者に渡る可能性を向上することができる。したがって、本発明の画像形成装置は、予定排出部から取り除かれた印刷物の紛失の発生を抑えることができる。
【００１２】
また、本発明の画像形成装置は、複数の前記印刷物排出部を備え、前記印刷ジョブ実行手段は、前記複数の印刷物排出部の全てに前記印刷物が存在すると前記印刷物センサーによって検出された場合に、前記印刷物排出部に存在する前記印刷物を排出した前記印刷ジョブに対して前記実行者認証手段によって認証された実行者としての先行ジョブ実行者の何れもが前記新ジョブ実行者と異なるとき、前記複数の印刷物排出部のうち、前記印刷物が存在すると前記印刷物センサーによって検出されている時間が最も長い前記印刷物排出部を、前記予定排出部として選択しても良い。
【００１３】
この構成により、本発明の画像形成装置は、印刷物の排出後に印刷物が放置されている時間が最も長い印刷物排出部を予定排出部として選択するので、印刷物排出部に排出した印刷物が印刷物排出部に長期間放置されることを抑えることができる。
【００１４】
本発明の画像形成プログラムは、記録媒体に印刷を実行する印刷デバイスと、前記印刷デバイスによって印刷が実行された前記記録媒体としての印刷物が排出される印刷物排出部と、前記印刷物排出部に前記印刷物が存在するか否かを検出する印刷物センサーとを備える画像形成装置を、前記印刷デバイスによる印刷を含む印刷ジョブを実行する印刷ジョブ実行手段、前記印刷ジョブの実行者を認証する実行者認証手段、および、新たな前記印刷ジョブとしての新ジョブにおける前記印刷物の排出予定の前記印刷物排出部としての予定排出部に存在する前記印刷物を排出した前記印刷ジョブとしての特定先行ジョブに対して前記実行者認証手段によって認証された実行者としての特定先行ジョブ実行者を通知する特定先行ジョブ実行者通知手段として機能させ、前記印刷ジョブ実行手段は、前記予定排出部に前記印刷物が存在すると前記印刷物センサーによって検出された場合に、前記実行者認証手段によって認証された前記新ジョブの実行者としての新ジョブ実行者と、前記特定先行ジョブ実行者とが異なるとき、前記新ジョブの実行を停止し、前記特定先行ジョブ実行者通知手段は、前記予定排出部に前記印刷物が存在すると前記印刷物センサーによって検出された場合に、前記特定先行ジョブ実行者を通知することを特徴とする。
【００１５】
この構成により、本発明の画像形成プログラムを実行する画像形成装置は、特定先行ジョブ実行者を通知するので、特定先行ジョブによって予定排出部に排出された印刷物を予定排出部から取り除いた者に特定先行ジョブ実行者を認識させることができる。したがって、本発明の画像形成プログラムを実行する画像形成装置は、予定排出部から取り除かれた印刷物が予定排出部から印刷物を取り除いた者から特定先行ジョブ実行者に渡る可能性を向上するので、予定排出部から取り除かれた印刷物の紛失の発生を抑えることができる。
【発明の効果】
【００１６】
本発明の画像形成装置および画像形成プログラムは、印刷物の紛失の発生を抑えることができる。
【図面の簡単な説明】
【００１７】
【図１】本発明の一実施の形態に係る画像形成システムのブロック図である。
【図２】図１に示すＭＦＰの概略構成図である。
【図３】図１に示すＭＦＰのブロック図である。
【図４】図２に示すＭＦＰの表示部に表示させられる、特定先行ジョブ実行者通知設定の指定画面の一例を示す図である。
【図５】印刷ジョブを実行する場合の図２に示すＭＦＰの動作のフローチャートである。
【図６】図５に示す排紙トレイ指定時処理のフローチャートである。
【図７】図５に示す排紙トレイ非指定時処理のフローチャートである。
【発明を実施するための形態】
【００１８】
以下、本発明の一実施の形態について、図面を用いて説明する。
【００１９】
まず、本実施の形態に係る画像形成システムの構成について説明する。
【００２０】
図１は、本実施の形態に係る画像形成システム１０のブロック図である。
【００２１】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、利用者によって使用されるコンピューター５０などの複数のコンピューターとを備えている。画像形成システム１０に含まれるコンピューターは、例えば、ＰＣ（Ｐｅｒｓｏｎａｌ  Ｃｏｍｐｕｔｅｒ）によって構成されている。ＭＦＰ２０と、画像形成システム１０に含まれる複数のコンピューターとは、ＬＡＮ（Ｌｏｃａｌ  Ａｒｅａ  Ｎｅｔｗｏｒｋ）、インターネットなどのネットワーク１１を介して、それぞれ互いに通信可能に構成されている。
【００２２】
図２は、ＭＦＰ２０の概略構成図である。図３は、ＭＦＰ２０のブロック図である。
【００２３】
図２および図３に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、プリンター２４によって印刷が実行された記録媒体としての印刷物が排出される印刷物排出部としての排紙トレイ２５ａ、２５ｂ、２５ｃ、２５ｄ、２５ｅと、排紙トレイ２５ａに印刷物が存在するか否かを検出する印刷物センサー２６ａと、排紙トレイ２５ｂに印刷物が存在するか否かを検出する印刷物センサー２６ｂと、排紙トレイ２５ｃに印刷物が存在するか否かを検出する印刷物センサー２６ｃと、排紙トレイ２５ｄに印刷物が存在するか否かを検出する印刷物センサー２６ｄと、排紙トレイ２５ｅに印刷物が存在するか否かを検出する印刷物センサー２６ｅと、図示していない外部のファクシミリ装置と公衆電話回線などの通信回線経由でファックス通信を行うファックスデバイスであるファックス通信部２７と、ネットワーク１１（図１参照。）経由で外部の装置と通信を行うネットワーク通信デバイスであるネットワーク通信部２８と、各種の情報を記憶する半導体メモリー、ＨＤＤ（Ｈａｒｄ  Ｄｉｓｋ  Ｄｒｉｖｅ）などの不揮発性の記憶デバイスである記憶部２９と、ＭＦＰ２０全体を制御する制御部３０とを備えている。
【００２４】
記憶部２９は、ＭＦＰ２０を制御するための画像形成プログラム２９ａを記憶している。画像形成プログラム２９ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク１１上からＭＦＰ２０に追加でインストールされても良い。
【００２５】
記憶部２９は、新たな印刷ジョブとしての新ジョブにおける印刷物の排出予定の排紙トレイ、すなわち、予定排出部としての予定排紙トレイに存在する印刷物を排出した印刷ジョブとしての特定先行ジョブの実行者としての特定先行ジョブ実行者の通知の設定を示す特定先行ジョブ実行者通知設定２９ｂを記憶することが可能である。
【００２６】
記憶部２９は、印刷ジョブの実行者の所在位置を示す所在位置情報として、画像形成システム１０の利用者の座席と、各座席間の距離とを示す座席表情報２９ｃを記憶することが可能である。
【００２７】
制御部３０は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２９に記憶されているプログラムを実行する。
【００２８】
制御部３０は、記憶部２９に記憶されている画像形成プログラム２９ａを実行することによって、プリンター２４による印刷を含む印刷ジョブを実行する印刷ジョブ実行手段３０ａ、印刷ジョブの実行者を認証する実行者認証手段３０ｂ、特定先行ジョブ実行者を通知する特定先行ジョブ実行者通知手段３０ｃ、および、新ジョブの実行者としての新ジョブ実行者を通知する新ジョブ実行者通知手段３０ｄとして機能する。
【００２９】
次に、ＭＦＰ２０の動作について説明する。
【００３０】
まず、特定先行ジョブ実行者通知設定２９ｂを指定する場合のＭＦＰ２０の動作について説明する。
【００３１】
図４は、ＭＦＰ２０の表示部２２に表示させられる、特定先行ジョブ実行者通知設定２９ｂの指定画面４０の一例を示す図である。
【００３２】
ＭＦＰ２０の制御部３０は、特定先行ジョブ実行者通知設定２９ｂの指定の処理の開始がＭＦＰ２０の操作部２１を介して指示されると、図４に示す指定画面４０をＭＦＰ２０の表示部２２に表示させる。
【００３３】
図４に示す指定画面４０には、排紙トレイ２５ａ〜２５ｅのうち、排紙トレイ２５ａ〜２５ｅに存在する印刷物を排出した印刷ジョブの実行者としての先行ジョブ実行者の所在位置が新ジョブ実行者の所在位置に最も近い排紙トレイを予定排紙トレイとして選択する最近トレイ選択設定を指定するためのラジオボタン４１と、排紙トレイ２５ａ〜２５ｅのうち、印刷物が存在すると印刷物センサー２６ａ〜２６ｅによって検出されている時間が最も長い排紙トレイを予定排紙トレイとして選択する最長トレイ選択設定を指定するためのラジオボタン４２と、排紙トレイ２５ａ〜２５ｅのうち、存在する印刷物の量が最も多い排紙トレイを予定排紙トレイとして選択する最多トレイ選択設定を指定するためのラジオボタン４３と、ラジオボタン４１〜４３による指定を決定するためのＯＫボタン４４と、ラジオボタン４１〜４３による指定を中止するためのＣａｎｃｅｌボタン４５とが含まれる。ラジオボタン４１〜４３は、常に何れか１つのみが選択された状態になる。ラジオボタン４１〜４３、ＯＫボタン４４およびＣａｎｃｅｌボタン４５は、操作部２１によって操作されることが可能である。
【００３４】
制御部３０は、ラジオボタン４１〜４３のうち、ＯＫボタン４４が押された時点で選択されているラジオボタンに対応する設定を特定先行ジョブ実行者通知設定２９ｂとして記憶部２９に記憶する。
【００３５】
なお、以上においては、ＭＦＰ２０の操作部２１および表示部２２を介して特定先行ジョブ実行者通知設定２９ｂを指定するようになっているが、画像形成システム１０に含まれるコンピューターの操作部および表示部を介してネットワーク１１経由で特定先行ジョブ実行者通知設定２９ｂを指定しても良い。
【００３６】
次に、印刷ジョブを実行する場合のＭＦＰ２０の動作について説明する。
【００３７】
図５は、印刷ジョブを実行する場合のＭＦＰ２０の動作のフローチャートである。
【００３８】
なお、ＭＦＰ２０の制御部３０は、図５の動作の実行より前に、実行者認証手段３０ｂによってＭＦＰ２０の利用者を例えば利用者のＩＤおよびパスワードの組み合わせによって認証している。すなわち、実行者認証手段３０ｂは、印刷ジョブの実行者を認証している。
【００３９】
ＭＦＰ２０の制御部３０は、印刷ジョブの実行が指示されると、図５に示す動作を実行する。
【００４０】
図５に示すように、ＭＦＰ２０の印刷ジョブ実行手段３０ａは、実行が指示された印刷ジョブとしての新ジョブにおいて排紙トレイが指定されているか否かを判断する（Ｓ１０１）。
【００４１】
印刷ジョブ実行手段３０ａは、排紙トレイが指定されているとＳ１０１において判断すると、新ジョブにおいて排紙トレイが指定されている場合の処理としての排紙トレイ指定時処理を実行する（Ｓ１０２）。
【００４２】
印刷ジョブ実行手段３０ａは、排紙トレイが指定されていないとＳ１０１において判断すると、新ジョブにおいて排紙トレイが指定されていない場合の処理としての排紙トレイ非指定時処理を実行する（Ｓ１０３）。
【００４３】
図６は、図５に示す排紙トレイ指定時処理のフローチャートである。
【００４４】
図６に示すように、印刷ジョブ実行手段３０ａは、新ジョブにおいて指定されている予定排紙トレイ（以下「指定トレイ」と言う。）に印刷物が存在するか否かを印刷物センサー２６ａ〜２６ｅの検出結果に基づいて判断する（Ｓ１３１）。
【００４５】
印刷ジョブ実行手段３０ａは、指定トレイに印刷物が存在するとＳ１３１において判断すると、指定トレイに存在する印刷物を排出した印刷ジョブとしての特定先行ジョブの実行者としての特定先行ジョブ実行者が新ジョブ実行者であるか否かを実行者認証手段３０ｂによる認証の履歴に基づいて判断する（Ｓ１３２）。
【００４６】
印刷ジョブ実行手段３０ａは、指定トレイに印刷物が存在しないとＳ１３１において判断するか、新ジョブ実行者であるとＳ１３２において判断すると、新ジョブを実行し、指定トレイに印刷物を排出して（Ｓ１３３）、図６に示す排紙トレイ指定時処理を終了する。
【００４７】
特定先行ジョブ実行者通知手段３０ｃは、新ジョブ実行者ではないとＳ１３２において判断されると、指定トレイに印刷物が存在することと、指定トレイに存在する印刷物を排出した印刷ジョブとしての特定先行ジョブの実行者としての特定先行ジョブ実行者とを新ジョブ実行者に通知する（Ｓ１３４）。
【００４８】
ここで、新ジョブ実行者への通知方法としては、新ジョブの実行が操作部２１を介して指示された場合には、表示部２２への表示によって通知する方法がある。また、新ジョブ実行者への通知方法としては、画像形成システム１０に含まれるコンピューターの表示部への表示によって通知する方法がある。例えば、画像形成システム１０に含まれるコンピューターの操作部を介して新ジョブの実行が指示された場合には、特定先行ジョブ実行者通知手段３０ｃは、このコンピューターの表示部への表示によって通知しても良い。また、画像形成システム１０に含まれるコンピューターの表示部への表示によって通知する方法としては、新ジョブ実行者に電子メールを送信することによって、新ジョブ実行者が使用しているコンピューターの表示部への電子メールによる表示によって通知する方法がある。
【００４９】
印刷ジョブ実行手段３０ａは、Ｓ１３４の処理の後、新ジョブを一時保持、即ち、新ジョブの実行を停止する（Ｓ１３５）。
【００５０】
印刷ジョブ実行手段３０ａは、Ｓ１３５の処理の後、指定トレイに印刷物が存在しなくなったと判断するまで、指定トレイに印刷物が存在しなくなったか否かを印刷物センサー２６ａ〜２６ｅの検出結果に基づいて判断する（Ｓ１３６）。
【００５１】
新ジョブ実行者通知手段３０ｄは、指定トレイに印刷物が存在しなくなったとＳ１３６において判断されると、指定トレイに存在する印刷物を排出した印刷ジョブとしての特定先行ジョブの実行者としての特定先行ジョブ実行者に新ジョブ実行者を通知する（Ｓ１３７）。
【００５２】
ここで、特定先行ジョブ実行者への通知方法としては、画像形成システム１０に含まれるコンピューターの表示部への表示によって通知する方法がある。画像形成システム１０に含まれるコンピューターの表示部への表示によって通知する方法としては、特定先行ジョブ実行者に電子メールを送信することによって、特定先行ジョブ実行者が使用しているコンピューターの表示部への電子メールによる表示によって通知する方法がある。
【００５３】
印刷ジョブ実行手段３０ａは、Ｓ１３７の処理の後、Ｓ１３５において一時保持しておいた新ジョブを実行し、指定トレイに印刷物を排出して（Ｓ１３８）、図６に示す排紙トレイ指定時処理を終了する。
【００５４】
図７は、図５に示す排紙トレイ非指定時処理のフローチャートである。
【００５５】
図７に示すように、印刷ジョブ実行手段３０ａは、排紙トレイ２５ａ〜２５ｅにおいて、印刷物が存在しない排紙トレイが存在するか否かを印刷物センサー２６ａ〜２６ｅの検出結果に基づいて判断する（Ｓ１６１）。
【００５６】
印刷ジョブ実行手段３０ａは、印刷物が存在しない排紙トレイが存在するとＳ１６１において判断すると、新ジョブを実行し、印刷物が存在しない排紙トレイのうち、いずれかの排紙トレイに印刷物を排出して（Ｓ１６２）、図７に示す排紙トレイ非指定時処理を終了する。具体的には、印刷ジョブ実行手段３０ａは、排紙トレイ２５ａ〜２５ｅに対して定められた優先順位に従って、印刷物が存在しない排紙トレイのうち、優先順位が最上位の排紙トレイに印刷物を排出する。
【００５７】
印刷ジョブ実行手段３０ａは、印刷物が存在しない排紙トレイが存在しないとＳ１６１において判断すると、排紙トレイ２５ａ〜２５ｅのうち、存在する印刷物を排出した印刷ジョブとしての特定先行ジョブの実行者としての特定先行ジョブ実行者が新ジョブ実行者である排紙トレイが存在するか否かを実行者認証手段３０ｂによる認証の履歴に基づいて判断する（Ｓ１６３）。
【００５８】
印刷ジョブ実行手段３０ａは、特定先行ジョブ実行者が新ジョブ実行者である排紙トレイが存在するとＳ１６３において判断すると、新ジョブを実行し、特定先行ジョブ実行者が新ジョブ実行者である排紙トレイのうち、いずれかの排紙トレイに印刷物を排出して（Ｓ１６４）、図７に示す排紙トレイ非指定時処理を終了する。具体的には、印刷ジョブ実行手段３０ａは、排紙トレイ２５ａ〜２５ｅに対して定められた優先順位に従って、特定先行ジョブ実行者が新ジョブ実行者である排紙トレイのうち、優先順位が最上位の排紙トレイに印刷物を排出する。
【００５９】
印刷ジョブ実行手段３０ａは、特定先行ジョブ実行者が新ジョブ実行者である排紙トレイが存在しないとＳ１６３において判断すると、特定先行ジョブ実行者通知設定２９ｂに基づいて排紙トレイを選択する（Ｓ１６５）。
【００６０】
ここで、印刷ジョブ実行手段３０ａは、特定先行ジョブ実行者通知設定２９ｂが最近トレイ選択設定である場合、先行ジョブ実行者の所在位置が新ジョブ実行者の所在位置に最も近い排紙トレイを座席表情報２９ｃに基づいて判断する。また、印刷ジョブ実行手段３０ａは、特定先行ジョブ実行者通知設定２９ｂが最長トレイ選択設定である場合、印刷物が存在すると印刷物センサー２６ａ〜２６ｅによって検出されている時間を取得する。なお、ＭＦＰ２０は、特定先行ジョブ実行者通知設定２９ｂが最多トレイ選択設定である場合、排紙トレイ２５ａ〜２５ｅのそれぞれに存在する印刷物の量が印刷物センサー２６ａ〜２６ｅなどのセンサーによって検出可能な必要がある。
【００６１】
特定先行ジョブ実行者通知手段３０ｃは、Ｓ１６５の処理の後、Ｓ１６５において選択された予定排紙トレイ（以下「選択トレイ」と言う。）に印刷物が存在することと、選択トレイに存在する印刷物を排出した印刷ジョブとしての特定先行ジョブの実行者としての特定先行ジョブ実行者とを新ジョブ実行者に通知する（Ｓ１６６）。
【００６２】
ここで、新ジョブ実行者への通知方法としては、新ジョブの実行が操作部２１を介して指示された場合には、表示部２２への表示によって通知する方法がある。また、新ジョブ実行者への通知方法としては、画像形成システム１０に含まれるコンピューターの表示部への表示によって通知する方法がある。例えば、画像形成システム１０に含まれるコンピューターの操作部を介して新ジョブの実行が指示された場合には、特定先行ジョブ実行者通知手段３０ｃは、このコンピューターの表示部への表示によって通知しても良い。また、画像形成システム１０に含まれるコンピューターの表示部への表示によって通知する方法としては、新ジョブ実行者に電子メールを送信することによって、新ジョブ実行者が使用しているコンピューターの表示部への電子メールによる表示によって通知する方法がある。
【００６３】
印刷ジョブ実行手段３０ａは、Ｓ１６６の処理の後、新ジョブを一時保持、即ち、新ジョブの実行を停止する（Ｓ１６７）。
【００６４】
印刷ジョブ実行手段３０ａは、Ｓ１６７の処理の後、選択トレイに印刷物が存在しなくなったと判断するまで、選択トレイに印刷物が存在しなくなったか否かを印刷物センサー２６ａ〜２６ｅの検出結果に基づいて判断する（Ｓ１６８）。
【００６５】
新ジョブ実行者通知手段３０ｄは、選択トレイに印刷物が存在しなくなったとＳ１６８において判断されると、選択トレイに存在する印刷物を排出した印刷ジョブとしての特定先行ジョブの実行者としての特定先行ジョブ実行者に新ジョブ実行者を通知する（Ｓ１６９）。
【００６６】
ここで、特定先行ジョブ実行者への通知方法としては、画像形成システム１０に含まれるコンピューターの表示部への表示によって通知する方法がある。画像形成システム１０に含まれるコンピューターの表示部への表示によって通知する方法としては、特定先行ジョブ実行者に電子メールを送信することによって、特定先行ジョブ実行者が使用しているコンピューターの表示部への電子メールによる表示によって通知する方法がある。
【００６７】
印刷ジョブ実行手段３０ａは、Ｓ１６９の処理の後、Ｓ１６７において一時保持しておいた新ジョブを実行し、選択トレイに印刷物を排出して（Ｓ１７０）、図７に示す排紙トレイ非指定時処理を終了する。
【００６８】
図５に示すように、印刷ジョブ実行手段３０ａは、Ｓ１０２における排紙トレイ指定時処理の実行が終了するか、Ｓ１０３における排紙トレイ非指定時処理の実行が終了すると、図５に示す動作を終了する。
【００６９】
以上に説明したように、ＭＦＰ２０は、特定先行ジョブ実行者を通知する（Ｓ１３４またはＳ１６６）ので、特定先行ジョブによって予定排紙トレイに排出された印刷物を予定排紙トレイから取り除いた者、すなわち、新ジョブ実行者に特定先行ジョブ実行者を認識させることができる。したがって、ＭＦＰ２０は、予定排紙トレイから取り除かれた印刷物が予定排紙トレイから印刷物を取り除いた者から特定先行ジョブ実行者に渡る可能性を向上するので、予定排紙トレイから取り除かれた印刷物の紛失の発生を抑えることができる。
【００７０】
また、ＭＦＰ２０は、新ジョブを実行したい新ジョブ実行者に特定先行ジョブ実行者を認識させることができるので、予定排紙トレイに排出されている印刷物を新ジョブ実行者に積極的に取り除かせることができ、結果として、排紙トレイへの印刷物の放置の発生を効果的に低減させることができる。
【００７１】
ＭＦＰ２０は、予定排紙トレイから印刷物が取り除かれた場合に（Ｓ１３６でＹＥＳまたはＳ１６８でＹＥＳ）新ジョブ実行者を通知する（Ｓ１３７またはＳ１６９）ので、予定排紙トレイから印刷物を取り除いた可能性が高い新ジョブ実行者を特定先行ジョブ実行者に認識させることができる。したがって、ＭＦＰ２０は、例えば予定排紙トレイから取り除かれた印刷物の受け渡しを特定先行ジョブ実行者から新ジョブ実行者に要求するなど、予定排紙トレイから取り除かれた印刷物が新ジョブ実行者から特定先行ジョブ実行者に渡る可能性を向上するので、予定排紙トレイから取り除かれた印刷物の紛失の発生を抑えることができる。
【００７２】
ＭＦＰ２０は、特定先行ジョブ実行者通知設定２９ｂが最近トレイ選択設定である場合、予定排紙トレイから印刷物を取り除く可能性が高い新ジョブ実行者と所在位置が最も近い先行ジョブ実行者によって実行された印刷ジョブにおいて印刷物が排出された排紙トレイを予定排紙トレイとして選択するので、予定排紙トレイから取り除かれた印刷物が新ジョブ実行者から特定先行ジョブ実行者に渡る可能性を向上することができる。したがって、ＭＦＰ２０は、予定排紙トレイから取り除かれた印刷物の紛失の発生を抑えることができる。
【００７３】
ＭＦＰ２０は、特定先行ジョブ実行者通知設定２９ｂが最長トレイ選択設定である場合、印刷物の排出後に印刷物が放置されている時間が最も長い排紙トレイを予定排紙トレイとして選択するので、排紙トレイに排出した印刷物が排紙トレイに長期間放置されることを抑えることができる。
【００７４】
なお、ＭＦＰ２０は、本実施の形態において特定先行ジョブ実行者通知設定２９ｂとして最近トレイ選択設定、最長トレイ選択設定および最多トレイ選択設定の何れかが指定されることが可能であるが、最近トレイ選択設定、最長トレイ選択設定および最多トレイ選択設定以外の設定が指定されることが可能であっても良い。
【００７５】
また、ＭＦＰ２０は、本実施の形態において印刷ジョブの実行が指示される前に特定先行ジョブ実行者通知設定２９ｂが指定されるが、特定先行ジョブ実行者通知設定２９ｂのタイミングが本実施の形態において示すタイミング以外のタイミングであっても良い。例えば、ＭＦＰ２０は、印刷ジョブの実行の指示の際に、この印刷ジョブにおける特定先行ジョブ実行者通知設定２９ｂが指定されても良い。また、ＭＦＰ２０は、新ジョブを実行する場合に、排紙トレイ２５ａ〜２５ｅにおいて印刷物が存在しない排紙トレイが存在しないとＳ１６１において判断するとともに、排紙トレイ２５ａ〜２５ｅのうち、存在する印刷物を排出した印刷ジョブとしての特定先行ジョブの実行者としての特定先行ジョブ実行者が新ジョブ実行者である排紙トレイが存在しないとＳ１６３において判断したとき、新ジョブにおける特定先行ジョブ実行者通知設定２９ｂを新ジョブ実行者に問い合わせる構成であっても良い。
【００７６】
また、ＭＦＰ２０は、本実施の形態において特定先行ジョブ実行者通知設定２９ｂが指定されるが、「排紙トレイに存在する印刷物を排出した印刷ジョブの実行者の名前などの識別情報」、「排紙トレイに印刷物が存在すると印刷物センサーによって検出されている時間」、「排紙トレイに存在する印刷物の量」などの各種の情報を排紙トレイ毎に通知することによって、予定排紙トレイを新ジョブ実行者に直接指定させても良い。
【００７７】
本発明の画像形成装置は、本実施の形態においてＭＦＰであるが、プリンター専用機など、ＭＦＰ以外の画像形成装置であっても良い。
【符号の説明】
【００７８】
２０  ＭＦＰ（画像形成装置）
２４  プリンター（印刷デバイス）
２５ａ〜２５ｅ  排紙トレイ（印刷物排出部）
２６ａ〜２６ｅ  印刷物センサー
２９ａ  画像形成プログラム
２９ｃ  座席表情報（所在位置情報）
３０ａ  印刷ジョブ実行手段
３０ｂ  実行者認証手段
３０ｃ  特定先行ジョブ実行者通知手段
３０ｄ  新ジョブ実行者通知手段
【図１】
0006390854.tif 000002
【図２】
0006390854.tif 000003
【図３】
0006390854.tif 000004
【図４】
0006390854.tif 000005
【図５】
0006390854.tif 000006
【図６】
0006390854.tif 000007
【図７】
0006390854.tif 000008